(57)【特許請求の範囲】
【請求項１】
第一端末と、複数の第二端末と、サーバとを有するアフィリエイトシステムであって、
前記サーバは、
前記第一端末のユーザと前記第二端末のユーザとを関連付ける情報を記憶する関連情報記憶手段と、
前記第二端末のユーザが訪問した場所の情報を訪問履歴情報として記憶する訪問履歴記憶手段と、
前記第一端末のユーザが購入または利用した商品またはサービスのうち前記第一端末のユーザが前記第二端末のユーザに対して紹介すると決定した商品またはサービスに関する情報を含む紹介要求を取得する紹介情報取得手段と、
前記関連情報記憶手段および前記訪問履歴記憶手段に記憶された情報に基づき、前記第一端末のユーザに関連し、かつ、前記紹介要求で特定される商品またはサービスの購入場所または利用場所を訪問した第二端末のユーザを、前記複数の第二端末のユーザの中から選択する選択手段と、
前記選択手段によって選択されたユーザの前記第二端末に対して前記紹介情報取得手段によって取得した前記紹介要求に応じた紹介情報を通知する紹介情報通知手段と、
前記第二端末のユーザが前記紹介情報に基づいて商品またはサービスの購入または利用をした場合に、前記第一端末のユーザに対して報酬を付与する付与手段と、を有する
ことを特徴とするアフィリエイトシステム。
【請求項２】
前記第一端末は、
当該第一端末のユーザが購入または利用した商品またはサービスに関する情報を購入情報として取得する取得手段と、
前記取得手段によって取得された前記購入情報を表示する表示手段と、
前記表示手段によって表示された前記購入情報のうち前記第一端末のユーザにより選択された購入情報の紹介要求を前記サーバへ送信する送信手段と、を有する
ことを特徴とする請求項１に記載のアフィリエイトシステム。
【請求項３】
前記購入情報には、前記第一端末のユーザが購入または利用した商品またはサービスに対応するアイコン画像の情報が含まれており、
前記表示手段は、
前記購入情報として前記アイコン画像を表示し、
前記送信手段は、
前記表示手段によって表示された前記アイコン画像のうち前記第一端末のユーザにより選択されたアイコン画像に対応する前記購入情報の紹介要求を前記サーバへ送信する
ことを特徴とする請求項２に記載のアフィリエイトシステム。
【請求項４】
前記第二端末は、
前記サーバから前記紹介情報を取得する取得手段と、
前記取得手段によって取得された前記紹介情報を表示する表示手段と、
前記表示手段によって表示された前記紹介情報に対応する商品またはサービスの購入または利用を要求する要求情報を送信する送信手段と、を有し、
前記サーバの前記付与手段は、
前記第二端末による前記要求情報に基づく前記紹介情報に対応する商品またはサービスの購入または利用があった場合に、前記第一端末のユーザに対して報酬を付与する
ことを特徴とする請求項１〜３のいずれか１つに記載のアフィリエイトシステム。
【請求項５】
複数の第三端末を備え、
前記第二端末の前記取得手段は、前記要求情報に対応する商品またはサービスに関する情報を購入情報として取得し、
前記第二端末の前記表示手段は、前記第二端末の前記取得手段によって取得された前記購入情報を表示し、
前記第二端末の前記送信手段は、前記第二端末の前記表示手段によって表示された前記購入情報のうち前記第二端末のユーザにより選択された購入情報の紹介要求を前記サーバへ送信し、
前記サーバの前記紹介情報取得手段は、
前記第二端末からの前記紹介要求を取得し、
前記サーバの前記選択手段は、
前記第二端末のユーザに関連し、かつ、前記紹介要求で特定される商品またはサービスの購入場所または利用場所を訪問した第三端末のユーザを、前記複数の第二端末のユーザの中から選択し、
前記サーバの前記紹介情報通知手段は、
前記選択手段によって選択されたユーザの前記第三端末に対して前記第二端末からの前記紹介要求に応じた紹介情報を通知し、
前記第三端末は、
前記サーバから前記第二端末の紹介情報を取得する取得手段と、
前記取得手段によって取得された紹介情報を表示する表示手段と、
前記表示手段によって表示された紹介情報に対応する商品またはサービスの購入または利用を要求する要求情報を送信する送信手段と、を有し、
前記サーバの前記付与手段は、
前記第三端末による前記要求情報に基づく前記紹介情報に対応する商品またはサービスの購入または利用があった場合に、前記第一端末のユーザに対して与える報酬よりも少ない報酬を前記第二端末のユーザに付与する
ことを特徴とする請求項４に記載のアフィリエイトシステム。
【請求項６】
前記第二端末のユーザが訪問した場所の情報には、前記第二端末のユーザが訪問したショッピングページの位置情報が含まれる
ことを特徴とする請求項１〜５のいずれか１つに記載のアフィリエイトシステム。
【請求項７】
前記サーバは、
前記第二端末の位置情報を取得する位置情報取得手段を有し、
前記第二端末のユーザが訪問した場所の情報には、前記位置情報取得手段によって取得された前記第二端末の位置情報が含まれる
ことを特徴とする請求項１〜６のいずれか１つに記載のアフィリエイトシステム。
【請求項８】
第一端末のユーザと第二端末のユーザとを関連付ける情報を記憶する関連情報記憶手段と、
前記第二端末のユーザが訪問した場所の情報を訪問履歴情報として記憶する訪問履歴記憶手段と、
前記第一端末のユーザが購入または利用した商品またはサービスのうち前記第一端末のユーザが前記第二端末のユーザに対して紹介すると決定した商品またはサービスに関する情報を含む紹介要求を取得する紹介情報取得手段と、
前記関連情報記憶手段および前記訪問履歴記憶手段に記憶された情報に基づき、前記第一端末のユーザに関連し、かつ、前記紹介要求で特定される商品またはサービスの購入場所または利用場所を訪問した第二端末のユーザを、前記複数の第二端末のユーザの中から選択する選択手段と、
前記選択手段によって選択されたユーザの前記第二端末に対して前記紹介情報取得手段によって取得した前記紹介要求に応じた紹介情報を通知する紹介情報通知手段と、
前記第二端末のユーザが前記紹介情報に基づいて商品またはサービスの購入または利用をした場合に、前記第一端末のユーザに対して報酬を付与する付与手段と、を有する
ことを特徴とするサーバ。
【請求項９】
コンピュータが実行するアフィリエイト方法であって、
第一端末のユーザと第二端末のユーザとを関連付ける情報を関連情報記憶手段に記憶する関連情報記憶ステップと、
前記第二端末のユーザが訪問した場所の情報を訪問履歴情報として訪問履歴記憶手段に記憶する訪問履歴記憶ステップと、
前記第一端末のユーザが購入または利用した商品またはサービスのうち前記第一端末のユーザが前記第二端末のユーザに対して紹介すると決定した商品またはサービスに関する情報を含む紹介要求を取得する紹介情報取得ステップと、
前記関連情報記憶手段および前記訪問履歴記憶手段に記憶された情報に基づき、前記第一端末のユーザに関連し、かつ、前記紹介要求で特定される商品またはサービスの購入場所または利用場所を訪問した第二端末のユーザを選択する選択ステップと、
前記選択ステップによって選択されたユーザの前記第二端末に対して前記紹介情報取得ステップによって取得した前記紹介要求に応じた紹介情報を通知する紹介情報通知ステップと、
前記第二端末のユーザが前記紹介情報に基づいて商品またはサービスの購入または利用をした場合に、前記第一端末のユーザに対して報酬を付与する付与ステップと
を含むことを特徴とするアフィリエイト方法。
【発明の詳細な説明】
【技術分野】
【０００１】
本発明は、アフィリエイトシステム、アフィリエイト方法およびサーバに関する。
【背景技術】
【０００２】
広告形態の一つとして、アフィリエイト広告が知られている。アフィリエイト広告では、一般に、アフィリエイタが、ブログなどのサイトへ広告バナーを設定したり、メールマガジンの文章内に広告ページへのリンクを設定したりすることで、広告主のサイトへの誘導を行う。そして、かかる誘導によって広告主のサイトで購入が発生した場合にアフィリエイタに報酬が発生する。
【０００３】
かかるアフィリエイト広告では、アフィリエイタが広告主の商品やサービスの紹介などを積極的に行うことで、広告主のサイトへのアクセスを増やす努力を行うことが一般的である。しかしながら、アフィリエイタが実際に広告主の商品やサービスを購入したり使用したりしていない場合もあり、広告の信憑性に乏しい場合も多い。
【０００４】
かかる課題に対し、ソーシャル・ネットワーキング・サービス（ＳＮＳ）のコメント機能を活用して、ＳＮＳで関連付けられた会員ユーザ間でアフィリエイト広告を行うことができる広告システムが提案されている（例えば、特許文献１参照）。
【先行技術文献】
【特許文献】
【０００５】
【特許文献１】特開２０１２−２４２９７６号公報
【発明の概要】
【発明が解決しようとする課題】
【０００６】
しかしながら、特許文献１に記載の技術では、ある会員ユーザがアフィリエイト広告を行おうとする場合、かかる会員ユーザに関連付けられた他の会員ユーザ全てに対してアフィリエイト広告が行われる。そのため、会員ユーザに配信されるアフィリエイト広告には全く関心ない商品やサービスが多数含まれることになり、アフィリエイト広告による効果が却って阻害されてしまう場合も多い。
【０００７】
本願は、上記に鑑みてなされたものであって、効果的にアフィリエイト広告を行うことができるアフィリエイトシステム、アフィリエイト方法およびサーバを提供することを目的とする。
【課題を解決するための手段】
【０００８】
本願に係るアフィリエイトシステムは、第一端末と、複数の第二端末と、サーバとを有するアフィリエイトシステムであって、前記サーバは、前記第一端末のユーザと前記第二端末のユーザとを関連付ける情報を記憶する関連情報記憶手段と、前記第二端末のユーザが訪問した場所の情報を訪問履歴情報として記憶する訪問履歴記憶手段と、前記第一端末のユーザが購入または利用した商品またはサービスのうち前記第一端末のユーザが前記第二端末のユーザに対して紹介すると決定した商品またはサービスに関する情報を含む紹介要求を取得する紹介情報取得手段と、前記関連情報記憶手段および前記訪問履歴記憶手段に記憶された情報に基づき、前記第一端末のユーザに関連し、かつ、前記紹介要求で特定される商品またはサービスの購入場所または利用場所を訪問した第二端末のユーザを、前記複数の第二端末のユーザの中から選択する選択手段と、前記選択手段によって選択されたユーザの前記第二端末に対して前記紹介情報取得手段によって取得した前記紹介要求に応じた紹介情報を通知する紹介情報通知手段と、前記第二端末のユーザが前記紹介情報に基づいて商品またはサービスの購入または利用をした場合に、前記第一端末のユーザに対して報酬を付与する付与手段と、を有する。
【発明の効果】
【０００９】
実施形態の一態様によれば、効果的にアフィリエイト広告を行うことができるアフィリエイトシステム、アフィリエイト方法およびサーバを提供できる。
【図面の簡単な説明】
【００１０】
【図１】図１は、実施形態に係るアフィリエイト方法の説明図である。
【図２】図２は、実施形態に係るアフィリエイトシステムの具体的構成の一例を示す図である。
【図３】図３は、端末装置の記憶部に記憶される対象情報テーブルの一例を示す図である。
【図４】図４は、アフィリエイトアプリによって表示部に表示される画面の一例を示す図である。
【図５】図５は、表示制御部によって表示される表示画面の例を示す図である。
【図６】図６は、取引対象情報ＤＢに記憶された取引情報テーブルの一例を示す図である。
【図７】図７は、ユーザ情報ＤＢに記憶されたユーザ情報テーブルの一例を示す図である。
【図８】図８は、端末装置における情報処理のフローチャートである。
【図９】図９は、アフィリエイトサーバにおける情報処理のフローチャートである。
【発明を実施するための形態】
【００１１】
以下に、本願に係るアフィリエイトシステム、アフィリエイト方法およびサーバの実施形態について図面を参照しつつ詳細に説明する。なお、この実施形態により本願に係るアフィリエイトシステム、アフィリエイト方法およびサーバが限定されるものではない。また、以下においては、データベースをＤＢと表す。
【００１２】
〔１．アフィリエイト方法〕
まず、実施形態に係るアフィリエイト方法の一例について説明する。図１は、実施形態に係るアフィリエイト方法の説明図である。
【００１３】
実施形態に係るアフィリエイト方法は、例えば、図１に示すアフィリエイトシステム１によって実現される。図１に示すように、アフィリエイトシステム１は、第一端末２ａと、第二端末２ｂと、サーバ３とを有する。第一端末２ａおよび第二端末２ｂは、図示しないネットワークを介してサーバ３と通信が可能である。
【００１４】
第一端末２ａおよび第二端末２ｂには、アフィリエイト広告に利用される専用のアプリケーション（以下、アフィリエイトアプリと記載する）がインストールされており、かかるアフィリエイトアプリの機能を用いてアフィリエイト広告が効果的に行われる。なお、以下においては、第一端末２ａおよび第二端末２ｂにおいてアフィリエイトアプリが起動され、かかるアフィリエイトアプリによって第一端末２ａおよび第二端末２ｂの制御部が動作しているとする。
【００１５】
第一端末２ａの表示部には、アフィリエイトアプリの機能によって、商品を示すアイコンが表示されており、第一端末２ａのユーザ（以下、第一端末ユーザと記載する場合がある）は、表示部に表示されたアイコンを操作することで商品の購入や紹介などが可能である。第一端末２ａの表示部に表示されるアイコンには、例えば、特売品のアイコン、第一端末ユーザが購入した商品のアイコン（以下、購入済みアイコンと記載する）などがある。
【００１６】
第一端末ユーザが、例えば、フリック操作などによって特売品のアイコン６ａを選択すると、第一端末２ａの制御部は、サーバ３に対してアイコン６ａに対応する商品（例えば、サングラスのアイコン）の購入要求を行う（ステップＳ１）。
【００１７】
サーバ３は、第一端末２ａからの購入要求に対して販売処理を行う（ステップＳ２）。かかる販売処理は、アイコン６ａに対応する商品の販売処理であり、これにより、第一端末ユーザに対してアイコン６ａに対応する商品の決済処理や発送手配などが行われる。さらに、サーバ３は、購入情報を第一端末２ａへ送信する（ステップＳ３）。
【００１８】
サーバ３から第一端末２ａへ送信される購入情報には、アイコン６ａに対する商品の情報（例えば、商品のＩＤ、商品名、サーバ３のＵＲＬ、アイコン情報など）が含まれており、第一端末２ａの制御部は、アイコン情報に基づいて購入情報に対応する購入済みアイコン７ａを表示部に表示する。
【００１９】
その後、第一端末ユーザが、例えば、フリック操作などによって購入済みアイコン７ａを選択すると、第一端末２ａの制御部は、サーバ３に対して購入済みアイコン７ａに対応する商品の紹介要求を行う（ステップＳ４）。
【００２０】
サーバ３は、第一端末２ａからの紹介要求を受け付けると、第一端末２ａに関連し、かつ、紹介要求で特定される商品の購入場所がユーザの訪問場所に含まれる第二端末２ｂを判定し（ステップＳ５）、第二端末２ｂに対して購入済みアイコン７ａに対応する紹介情報を送信する（ステップＳ６）。
【００２１】
ここで、ステップＳ５の処理について具体的に説明する。サーバ３は、第一端末ユーザのユーザＩＤと第二端末２ｂのユーザ（第二端末ユーザと記載する場合がある）のユーザＩＤとを関連付ける情報（例えば、友人登録情報）と、第二端末ユーザが訪問した場所の履歴情報（以下、訪問履歴情報と記載する）とを内部の記憶部に記憶している。また、第一端末２ａから送信される紹介要求には、第一端末ユーザに対応するユーザＩＤと、購入済みアイコン７ａに対応する商品の情報（例えば、商品のＩＤなど）とが含まれる。
【００２２】
サーバ３は、まず、紹介要求に含まれるユーザＩＤに基づき、第一端末ユーザと関連するユーザの端末を判定する。上述のように第一端末ユーザと関連するユーザとして第二端末ユーザが設定されており、サーバ３は、第一端末ユーザと関連するユーザの端末が第二端末２ｂであると判定する。
【００２３】
次に、サーバ３は、訪問履歴情報に基づき、紹介要求で特定される商品の購入場所に第二端末ユーザが訪問したか否かを判定する。紹介要求には、上述のようにサーバ３のＵＲＬが含まれており、サーバ３は、訪問履歴情報に基づき、例えば、第二端末ユーザが紹介要求に対応する商品のページ（例えば、商品を販売するサーバ３のページやメーカのページ）を訪問したことがあるか否かを判定する。そして、サーバ３は、第二端末ユーザが紹介要求に対応する商品のページを訪問したことがある場合に、紹介要求で特定される商品の購入場所に第二端末ユーザが訪問したと判定する。
【００２４】
このように、サーバ３は、第二端末ユーザが第一端末ユーザのユーザに関連し、さらに、紹介要求で特定される商品の購入場所に第二端末ユーザが訪問したと判定すると、紹介情報を第二端末２ｂへ送信する。紹介情報には、紹介要求に対応する商品の情報（例えば、紹介商品のＩＤ、商品名、サーバ３のＵＲＬ、アイコン情報など）および紹介者である第一端末ユーザのユーザＩＤが含まれている。第一端末２ａの制御部は、サーバ３から取得した紹介情報に含まれるアイコン情報に基づき、紹介アイコン８ａを表示部に表示する。また、第二端末２ｂは、紹介情報に含まれる商品の情報を紹介アイコン８ａに対応する商品の情報として記憶する。
【００２５】
その後、第二端末ユーザが、例えば、フリック操作などによって紹介アイコン８ａを選択すると、第二端末２ｂの制御部は、サーバ３に対して紹介アイコン８ａに対応する商品（以下、紹介商品と記載する場合がある）の購入要求を行う（ステップＳ７）。かかる購入要求には、紹介商品を購入するサーバ３のＵＲＬや紹介者である第一端末ユーザのユーザＩＤの情報が含まれる。なお、サーバ３のＵＲＬには、紹介商品のＩＤも含まれる。また、サーバ３のＵＲＬに第一端末ユーザのユーザＩＤの情報を含めることもできる。
【００２６】
サーバ３は、第二端末２ｂからの購入要求に対して販売処理を行う（ステップＳ８）。かかる販売処理は、ステップＳ２の処理と同様の処理である。また、サーバ３は、第二端末２ｂに対して販売処理完了通知を送信する（ステップＳ９）。さらに、サーバ３は、第二端末２ｂからの購入要求が第一端末２ａの紹介情報に基づくものであるため、紹介者である第一端末ユーザに対して報酬を付与するアフィリエイト処理を行う（ステップＳ１０）。サーバ３は、例えば、購入要求に含まれる情報から紹介商品および第一端末ユーザを特定することができる。
【００２７】
報酬の付与は、例えば、紹介商品の金額に対して所定割合のポイント（以下、アフィリエイトポイントと記載する）を第一端末ユーザが有するポイントに加算することによって行われる。サーバ３は、第一端末ユーザに対して付与したアフィリエイトポイントの情報を第一端末２ａへ送信する（ステップＳ１１）。
【００２８】
上記ポイントは、例えば、サーバ３が提供するサービス（例えば、オンラインショッピング、オンラインゲーム、オークションなど）に用いることができる仮想価値である。かかるポイントは、その他のサービスに用いることができる仮想価値であってもよい。なお、サーバ３は、紹介商品の金額に対して所定割合の金額（以下、アフィリエイト料と記載する）を第一端末ユーザの口座に振り込むことによって報酬の付与を行うこともできる。
【００２９】
このように、実施形態に係るアフィリエイト方法では、実際に商品を購入した第一端末ユーザが購入商品の紹介を行う場合に、第一端末ユーザに関連（例えば、友人登録）し、かつ、紹介要求で特定される商品の購入場所を訪問したユーザの端末を特定し、特定した端末に対して紹介情報を送信する。
【００３０】
したがって、第一端末ユーザと関連のあるユーザの端末全てに対して紹介情報が送信されることがなく、スパム的な広告配信を抑制することができる。そのため、紹介情報が無視されやすくなることを防止できる。
【００３１】
しかも、紹介要求で特定される商品の購入場所を訪問したユーザの端末に対して紹介情報が通知され、これにより、アフィリエイト広告による効果を効果的に発揮することができる。例えば、紹介要求で特定される商品の購入場所がサーバ３の所定サイトである場合、かかる所定サイトを訪問したことがある端末ユーザは、紹介要求で特定される商品に興味があり購入を検討している可能性があり、かかる端末ユーザに紹介情報を通知することでアフィリエイト広告による効果をより効果的に発揮できる。
【００３２】
なお、上述の例では、オンライン上での商品の購入について説明したが、オフラインでの商品の購入についても同様にアフィリエイト広告を行うことができる。また、商品でなくサービス（例えば、レストランでの料理の提供や映画館での映画の提供など）の利用についても同様に、アフィリエイト広告を行うことができる。また、紹介情報には、割引クーポンやその他のお勧め商品やサービスの情報を含めることもできる。以下、実施形態に係るアフィリエイトシステム１の構成例および動作を具体的に説明する。なお、以下の例では、特売品の情報については説明を省略している。また、商品およびサービスを総称して取引対象と記載する場合がある。
【００３３】
〔２．アフィリエイトシステム１の構成〕
図２は、実施形態に係るアフィリエイトシステム１の具体的構成の一例を示す図である。図２に示すように、アフィリエイトシステム１は、端末装置２1〜２n（以下、端末装置２と総称する場合がある）と、サーバ３と、店舗端末４1〜４m（以下、店舗端末４と総称する場合がある）を有する。
【００３４】
端末装置２は、例えば、スマートフォンやＰＣ（Personal  computer）などの端末装置であり、通信ネットワーク５を介して、サーバ３と通信可能である。通信ネットワーク５は、例えば、インターネットなどのＩＰ（Internet  Protocol）ネットワークである。
【００３５】
各端末装置２には、アフィリエイトアプリがインストールされており、例えば、サーバ３に対して紹介要求を行う場合には上述した第一端末２ａとして機能し、紹介要求に対応する購入要求を行う場合には上述した第二端末２ｂとして機能する。
【００３６】
サーバ３は、アフィリエイトサーバ３ａと、ショッピングサーバ３ｂとを有する。各サーバ３ａ、３ｂは通信ネットワーク５に接続されており、通信ネットワーク５を介して端末装置２と通信が可能である。
【００３７】
店舗端末４は、商品やサービスを提供する店舗に設置された端末装置であり、図示しないバーコードリーダやＮＦＣ(Near  Field  Communication)装置などが接続されている。かかる店舗端末４は、バーコードリーダやＮＦＣ装置で端末装置２から読み取った情報を販売情報としてアフィリエイトサーバ３ａへ送信する。これにより、端末装置２のユーザが店舗内で購入した商品や利用したサービスの情報がアフィリエイトサーバ３ａへ通知される。
【００３８】
なお、ＮＦＣは、例えば、Ｆｅｌｉｃａ、ＩＳＯ／ＩＥＣ１４４４３（ＭＩＤＡＲＥ）などがある。ＮＦＣによる通信は、電波に限定されるものではなく、例えば、赤外線通信、可視光通信、音波などを用いることもできる。
【００３９】
〔２．１．端末装置２の構成〕
端末装置２は、図２に示すように、通信部２０と、表示部２１と、操作部２２と、記憶部２３と、位置検出部２４と、制御部２５とを有する。通信部２０は、通信ネットワーク５に有線または無線で接続され、通信ネットワーク５に接続されたアフィリエイトサーバ３ａやショッピングサーバ３ｂとの間で情報の送受信を行う。
【００４０】
表示部２１は、タッチパネル式のディスプレイである。端末装置２のユーザ（以下、端末ユーザと記載する場合がある）は、表示部２１の画面上を指などで操作することで、表示部２１に表示されたアフィリエイトアプリの操作画面に対する操作が可能である。かかる表示部２１は、例えば、小型のＬＣＤ（Liquid  Crystal  Display）や有機ＥＬディスプレイである。
【００４１】
操作部２２は、文字、数字およびスペースを入力するためのキー、エンターキーおよび矢印キーなどを含むキーボードや、電源ボタンなどを有する。以下において、端末ユーザによる表示部２１の画面の操作や操作部２２への操作を端末ユーザによる操作と記載する。
【００４２】
記憶部２３は、例えば、ＲＡＭ（Random  Access  Memory)、フラッシュメモリ等の半導体メモリ素子、または、ハードディスク、光ディスク等の記憶装置である。かかる記憶部２３は各種プログラムや設定データなどが記憶される。記憶部２３に記憶されるプログラムは、例えば、ＯＳ（Operating  System）、アフィリエイトアプリなどである。アフィリエイトアプリは、例えば、アフィリエイトサーバ３ａなどのサーバから取得することができる。
【００４３】
位置検出部２４は、ＧＰＳ（Global  Positioning  System）受信機能を有し、端末装置２の現在位置の情報（以下、位置情報と記載する）を取得する。位置情報は、緯度および経度であるが、住所であってもよい。
【００４４】
制御部２５は、例えば、ＡＳＩＣ（Application  Specific  Integrated  Circuit）やＦＰＧＡ（Field  Programmable  Gate  Array）等の集積回路により実現される。また、制御部２５は、例えば、ＣＰＵ（Central  Processing  Unit）やＭＰＵ（Micro  Processing  Unit）等によって、記憶部２３に記憶されているプログラムが図示しない内部ＲＡＭを作業領域として実行されることにより後述する情報処理の機能や作用を実現または実行する。
【００４５】
かかる制御部２５は、記憶部２３にプログラムデータが記憶されているアフィリエイトアプリを実行することによって、取得部２６、表示制御部２７および通知部２８として機能する。また、制御部２５は、記憶部２３にプログラムデータが記憶されているアフィリエイトアプリを実行することによって、アフィリエイトアプリの設定データなどを記憶部２３に記憶する。なお、制御部２５の構成は、かかる構成に限られず、後述する情報処理を行う構成であれば他の構成であってもよい。
【００４６】
〔２．１．１．取得部２６〕
取得部２６は、アフィリエイトサーバ３ａから通信ネットワーク５を介して通知される情報を通信部２０を介して取得して記憶部２３に記憶する。アフィリエイトサーバ３ａから通知される情報には、例えば、購入情報、紹介情報などの情報がある。
【００４７】
取得部２６は、通信ネットワーク５を介して取得した情報が購入情報や紹介情報である場合、取得した情報を記憶部２３の対象情報テーブルに設定する。図３は、対象情報テーブルの一例を示す図である。
【００４８】
図３に示すように、対象情報テーブルは、「取引対象ＩＤ」毎に、「種別」、「名称」、「紹介値」、「アイコン情報」、「アクセス情報」および「状態フラグ」が関連付けられた情報である。
【００４９】
「取引対象ＩＤ」は、取引対象とされる商品またはサービスの情報であり、具体的には、端末ユーザが購入した商品や利用したサービス、および、他の端末ユーザから紹介された商品やサービスにそれぞれ割り当てられる情報である。図３に示す例では、末尾にアルファベットが付されていない取引対象ＩＤの情報は、端末ユーザの購入情報であり、末尾にアルファベットが付された取引対象ＩＤの情報は、端末ユーザが他の端末ユーザから紹介された紹介情報である。
【００５０】
「種別」は、取引対象の種別を示す情報であり、取引対象が商品である場合には「１」が設定され、取引対象がサービスである場合には「２」が設定される。
【００５１】
「名称」は、取引対象の名称を示す情報である。図３に示す例では、例えば、取引対象ＩＤ「Ｐ１００」の取引対象の名称は「サングラスＡ」であり、取引対象ＩＤ「Ｐ１０１」の取引対象の名称は「自転車Ｂ」である。
【００５２】
「紹介値」は、購入情報の評価を示す値、または、紹介情報の評価を示す値である。この紹介値が大きいほど、評価が高いことを示す。かかる紹介値はアフィリエイトサーバ３ａによって付与される情報である。
【００５３】
「アイコン情報」は、購入情報に対応する購入済みアイコンまたは紹介情報に対応する紹介アイコンなどを端末装置２の表示部２１に表示するための情報である。アイコンの情報は、例えば、静止画像データ、アニメーションデータ、動画像データなどである。
【００５４】
「アクセス情報」は、端末ユーザのアクションに応じて表示制御部２７または通知部２８により対象情報テーブルから読み出される情報である。アクセス情報は、オンラインでの取引の場合には、サーバのＵＲＬ（Uniform  Resource  Locator）の情報であり、オフラインでの取引の場合、例えば、バーコード用情報である。かかるバーコード用情報には、例えば、取引対象ＩＤなどの情報が含まれる。
【００５５】
なお、図３に示す「ＵＲＬ＿Ａ」〜「ＵＲＬ＿Ｆ」のそれぞれは、ショッピングサーバ３ｂにおけるショッピングページの場所を示す情報である。なお、ここでは、ショッピングサーバ３ｂを一つのサーバとしているが、ショッピングサーバ３ｂは、複数のサーバから構成されるようにしてもよい。例えば、「ＵＲＬ＿Ａ」〜「ＵＲＬ＿Ｆ」のそれぞれに対してサーバが設けられるようにしてもよい。
【００５６】
また、オンラインでの取引の場合のアクセス情報は、ショッピングサーバ３ｂのショッピングページのＵＲＬに、例えば、取引対象の取引対象ＩＤや端末ユーザのユーザＩＤが付加されている。また、紹介情報の場合には、紹介者のユーザＩＤなどもＵＲＬに付加される。なお、端末装置２からショッピングサーバ３ｂのショッピングページのＵＲＬへアクセスした後に、取引対象ＩＤやユーザＩＤなどの情報をショッピングサーバ３ｂへ通知することもできる。
【００５７】
また、オフラインでの取引の場合のアクセス情報は、紹介要求に対応する取引対象の取引対象ＩＤ（後述する紹介取引対象ＩＤ）、紹介者のユーザＩＤ、端末ユーザのユーザＩＤを含む情報が二次元バーコード化されたものであるが、二次元バーコードの情報に限られない。例えば、端末装置２にＮＦＣ通信が設けられている場合には、オフラインでの取引の場合のアクセス情報を、紹介要求に対応する取引対象の取引対象ＩＤ、紹介者のユーザＩＤ、端末ユーザのユーザＩＤを含む情報とし、店舗端末４へ送信するようにしてもよい。
【００５８】
「状態フラグ」は、アイコンの状態を示すフラグであり、「０」は未紹介の購入済みアイコンを示し、「１」は紹介済みの購入済みアイコンを示し、「２」は紹介アイコンを示す。
【００５９】
取得部２６は、新たな取引対象の情報をサーバ３から取得する毎に対象情報テーブルを更新する。なお、取得部２６は、アフィリエイトアプリが起動する度に、サーバ３に対して記憶部２３に記憶しているユーザＩＤおよび取得条件の情報を送信し、かかるユーザＩＤに対応する取引対象の情報のうち取得条件を満たす情報をサーバ３から取得するようにすることもできる。また、対象情報テーブルは、例えば、報酬（アフィリエイトポイントまたはアフィリエイト料）に関する情報を含むようにしてもよい。
【００６０】
〔２．１．２．表示制御部２７〕
表示制御部２７は、記憶部２３に記憶された設定データおよび対象情報テーブルに基づいて、アフィリエイトアプリの表示画像を生成し、表示部２１に表示する。設定データには、アフィリエイトポイント、端末ユーザのユーザＩＤおよび取得条件などの各種の情報が含まれる。
【００６１】
図４は、アフィリエイトアプリによって表示部２１に表示される画面の一例を示す図である。図４に示すように、表示部２１の表示画面５０は、購入履歴領域５１と、紹介情報領域５２と、ポイント情報領域５３とを含む。
【００６２】
購入履歴領域５１には、購入情報に基づく購入済みアイコン６０ａ〜６０ｅ（以下、購入済みアイコン６０と総称する場合がある）が表示される。購入済みアイコン６０ａ〜６０ｅは、図３に示す取引対象ＩＤ「Ｐ１００」〜「Ｐ１０４」に対応するアイコン情報である「データＡ」〜「データＥ」に基づいて表示制御部２７により表示される。
【００６３】
表示制御部２７は、購入済みアイコン６０を表示する場合に、紹介値を考慮する。例えば、図３に示す取引対象ＩＤ「Ｐ１０４」の紹介値は「３」であるため、購入済みアイコン６０ｅには、紹介値「３」に対応する「★★★」が紹介値を示す情報として含まれる。これにより、端末ユーザは、紹介値の高い購入済みアイコン６０を一見して判別することができる。なお、図４に示す例では、「★★★」などの図形を付加しているが、表示制御部２７は、購入済みアイコン６０の形状、色、大きさなどによって紹介値を表現することもできる。
【００６４】
紹介情報領域５２には、他の端末ユーザから紹介された紹介情報に基づく紹介アイコン６１ａ、６１ｂ（以下、紹介アイコン６１と総称する場合がある）が表示される。紹介アイコン６１ａ、６１ｂは、図３に示す取引対象ＩＤ「Ｐ１０５ａ」、「Ｐ１０６ａ」に対応するアイコン情報である「データＦ」、「データＧ」に基づいて表示制御部２７により表示される。
【００６５】
表示制御部２７は、紹介アイコン６１を表示する場合に、紹介値を考慮する。例えば、図３に示す取引対象ＩＤ「Ｐ１０５ａ」の紹介値は「１」であるため、紹介アイコン６１ａには、紹介値「１」に対応する「１」の文字が紹介値を示す情報として含まれる。また、取引対象ＩＤ「Ｐ１０６ａ」の紹介値は「８」であるため、紹介アイコン６１ｂには紹介値「８」に対応する「８」の文字が、紹介値を示す情報として含まれる。これにより、端末ユーザは、紹介値の高い紹介アイコン６１を一見して判別することができる。なお、図４に示す例では、数字を付加しているが、表示制御部２７は、紹介アイコン６１の形状、色、大きさなどによって紹介値を表現することもできる。
【００６６】
ポイント情報領域５３には、端末ユーザが取得したアフィリエイトポイントが表示される。アフィリエイトポイントは、取得部２６がアフィリエイトサーバ３ａから取得する情報である。かかるアフィリエイトポイントにより端末ユーザは、例えば、ショッピングサーバ３ｂで取引されている商品やサービスを購入または利用することができる。
【００６７】
〔２．１．３．通知部２８〕
通知部２８は、端末ユーザによる操作によって購入済みアイコン６０や紹介アイコン６１が選択された場合に、選択対象および選択方法に応じたアクセス先へ所定の情報を出力する。
【００６８】
例えば、購入履歴領域５１において、端末ユーザの操作により、購入済みアイコン６０がフリック操作された場合、通知部２８は、購入済みアイコン６０が紹介対象として選択されたと判定し、アフィリエイトサーバ３ａに対して紹介要求を行う。
【００６９】
通知部２８は、紹介要求を行う場合、操作対象となった購入済みアイコン６０に対応する取引対象の情報を記憶部２３の対象情報テーブルから取得し、また、設定データから端末ユーザのユーザＩＤを取得する。そして、端末ユーザのユーザＩＤおよび購入済みアイコン６０に対応する取引対象の情報を含む紹介要求をアフィリエイトサーバ３ａに対して行う。
【００７０】
図５は、表示制御部２７によって表示される表示画面５０の例を示す図である。図５（ａ）に示すように、端末ユーザが指ＵＦで購入済みアイコン６０ｅをフリックした場合、通知部２８は、取引対象ＩＤ「Ｐ１０４」を対象情報テーブルから取得する。そして、通知部２８は、取得した取引対象ＩＤ「Ｐ１０４」と記憶部２３に記憶されたユーザＩＤとを含む紹介要求をアフィリエイトサーバ３ａに対して行う。
【００７１】
アフィリエイトサーバ３ａによって紹介要求が受け付けられると、アフィリエイトサーバ３ａから紹介受け付け応答が送信される。通知部２８は紹介受け付け応答を通信部２０を介して受信すると、対象情報テーブルにおいて紹介要求に対応する取引対象の状態フラグを「０」から「１」へ変更する。これにより、表示制御部２７によって購入済みアイコン６０の表示状態に変更が加えられる。
【００７２】
例えば、表示制御部２７は図５（ｂ）に示すように、購入済みアイコン６０の透過度を高くして紹介要求が行われていない購入済みアイコン６０と表示状態を異ならせる。これにより、端末ユーザは、紹介要求を行った購入済みアイコン６０と紹介要求を行っていない購入済みアイコン６０を一見して区別することができる。なお、表示制御部２７は、購入済みアイコン６０の形状、色、大きさなどによって表示状態を変えることもでき、また、「紹介済み」の文字を購入済みアイコン６０に付加することもできる。
【００７３】
また、通知部２８は、例えば、紹介情報領域５２において、端末ユーザの操作により、紹介アイコン６１がフリック操作された場合、紹介アイコン６１が購入対象として選択されたと判定し、アフィリエイトサーバ３ａに対して購入要求を行う。
【００７４】
通知部２８は、購入要求を行う場合、操作対象となった紹介アイコン６１に対応する取引対象の情報を記憶部２３の対象情報テーブルから取得し、また、設定データから端末ユーザのユーザＩＤを取得する。そして、端末ユーザのユーザＩＤおよび紹介アイコン６１に対応する取引対象の情報を含む購入要求をショッピングサーバ３ｂに対して行う。
【００７５】
例えば、図５（ｂ）に示す表示画面５０において、端末ユーザが指ＵＦで紹介アイコン６１ａをフリックした場合、通知部２８は、取引対象ＩＤ「Ｐ１０５ａ」の情報として、アクセス情報「ＵＲＬ＿Ｆ」を対象情報テーブルから取得する。そして、通知部２８は、通信ネットワーク５を介して「ＵＲＬ＿Ｆ」で示されるショッピングサーバ３ｂのショッピングページへアクセスする。かかるショッピングページにおいて端末ユーザが取引対象の取引を完了した場合、後述するように、ショッピングサーバ３ｂからアフィリエイトサーバ３ａに対して購入済み情報が通知される。
【００７６】
また、図５（ｂ）に示す表示画面５０において、端末ユーザが指ＵＦで紹介アイコン６１ｂをフリックした場合、通知部２８は、取引対象ＩＤ「Ｐ１０６ａ」の情報として、アクセス情報「ｃｏｄｅＧ」を対象情報テーブルから取得する。また、通知部２８は、ユーザ端末のユーザＩＤを設定データから取得する。そして、通知部２８は、アクセス情報「ｃｏｄｅＧ」およびユーザ端末のユーザＩＤを含む情報に応じた二次元バーコード画像６２を生成し、例えば、図５（ｃ）に示すように、表示部２１に表示する。かかる二次元バーコード画像６２は、店舗端末４のバーコードリーダで読み取られ、店舗端末４からアフィリエイトサーバ３ａに対して購入済み情報が通知される。
【００７７】
なお、端末装置２にＮＦＣ装置が設けられている場合、通知部２８は、アクセス情報「ｃｏｄｅＧ」およびユーザ端末のユーザＩＤをＮＦＣ装置から店舗端末４へ送信することもできる。
【００７８】
また、通知部２８は、位置検出部２４によって取得した位置情報を所定周期で繰り返しアフィリエイトサーバ３ａへ送信する。なお、アフィリエイトサーバ３ａの送信タイミングは端末ユーザの操作によって設定することができ、端末ユーザの操作により設定データが更新される。通知部２８は、設定データが更新された場合、更新後の設定データに基づいた送信タイミングで位置情報をアフィリエイトサーバ３ａへ送信する。
【００７９】
〔３．アフィリエイトサーバ３ａ〕
次にアフィリエイトサーバ３ａについて説明する。アフィリエイトサーバ３ａは、図２に示すように、通信部３０と、取引対象情報ＤＢ３１と、ユーザ情報ＤＢ３２と、制御部３３とを有する。さらに制御部３３は、取得部３４と、選択部３５と、通知部３６と、付与部３７とを有する。
【００８０】
通信部３０は、ＮＩＣ（Network  Interface  Card）等のインタフェースである。制御部３３は、通信部３０および通信ネットワーク５を介して、ショッピングサーバ３ｂや端末装置２との間で各種の情報を送受信する。
【００８１】
取引対象情報ＤＢ３１およびユーザ情報ＤＢ３２は、例えば、ハードディスク、ＲＡＭ、フラッシュメモリ等の半導体メモリ素子、光ディスク等の記憶装置である。なお、取引対象情報ＤＢ３１およびユーザ情報ＤＢ３２は、一つのＤＢによって構成してもよい。
【００８２】
制御部３３は、例えば、ＡＳＩＣやＦＰＧＡ等の集積回路により実現される。また、制御部３３は、ＣＰＵまたはＭＰＵによって内部の記憶装置に記憶されたプログラムがＲＡＭを作業領域として実行されることで、取得部３４、選択部３５、通知部３６および付与部３７として機能する。なお、制御部３３の構成は、かかる構成に限られず、後述する情報処理を行う構成であれば他の構成であってもよい。
【００８３】
〔３．１．取得部３４〕
取得部３４は、通信ネットワーク５を介して各種情報を取得し、取得した情報に基づき取引対象情報ＤＢ３１の取引情報テーブルやユーザ情報ＤＢ３２のユーザ情報テーブルを更新する。取得部３４が取得する情報としては、例えば、ショッピングサーバ３ｂや店舗端末４から送信される端末ユーザの販売情報や、端末装置２から送信される紹介要求に含まれる情報などがある。
【００８４】
図６は、取引対象情報ＤＢ３１に記憶された取引情報テーブルの一例を示す図である。図６に示すように、取引情報テーブルは、「取引対象ＩＤ」毎に、「種別」、「名称」、「数量」、「アイコン情報」、「購入場所」および「アクセス情報」が関連付けられた情報である。
【００８５】
「取引対象ＩＤ」、「種別」、「名称」、「アイコン情報」および「アクセス情報」は、端末装置２の対象情報テーブルと同じ情報である。「数量」は、端末ユーザが購入した商品の数量または利用したサービスの利用回数である。
【００８６】
「購入場所」は、端末ユーザが取引対象の取引をした場所である。例えば、取引対象ＩＤ「Ｐ１００」の購入場所として、「サングラスＡ」のショッピングページのＵＲＬ「ＵＲＬ＿Ａ」が設定され、取引対象ＩＤ「Ｐ１０４」の購入場所として、「ｓｈｏｐＥ」の住所が設定される。
【００８７】
「アクセス情報」は取引対象を取り引きするための情報である。例えば、取引対象ＩＤ「Ｐ１００」のアクセス情報として、「サングラスＡ」のショッピングページのＵＲＬ「ＵＲＬ＿Ａ」が設定され、取引対象ＩＤ「Ｐ１０４」のアクセス情報として、バーコード情報「ｃｏｄｅＥ」が設定される。
【００８８】
図７は、ユーザ情報ＤＢ３２に記憶されたユーザ情報テーブルの一例を示す図である。図７に示すように、ユーザ情報テーブルは、「ユーザＩＤ」毎に、「友人ＩＤ」、「取引対象ＩＤ」、「紹介取引対象ＩＤ」、「訪問場所」および「ポイント」が関連付けられた情報である。
【００８９】
「ユーザＩＤ」は、端末ユーザに固有の識別情報であり、例えば、サーバ３が提供するサービスに対して端末ユーザに割り当てられるユーザＩＤである。
【００９０】
「友人ＩＤ」は、端末ユーザが友人登録した他の端末ユーザのユーザＩＤである。友人登録は、例えば、アフィリエイトアプリの友人登録画面（図示せず）において他の端末ユーザのユーザＩＤを入力することによって、端末装置２の通知部２８からアフィリエイトサーバ３ａへ友人ＩＤが通知される。取得部３４は、端末装置２から送信される友人ＩＤをユーザ情報テーブルに設定する。なお、端末ユーザが加入しているＳＮＳ（Social Networking Service）のユーザＩＤを友人登録画面に入力することによって、取得部３４がＳＮＳサーバ（図示せず）から友人ＩＤを取得することもできる。
【００９１】
「取引対象ＩＤ」は、図３に示す「取引対象ＩＤ」と同じ情報である。また、「紹介取引対象ＩＤ」は、他の端末ユーザから紹介された取引対象の情報に割り当てられた識別情報である。
【００９２】
「訪問場所」は、端末ユーザが訪問した場所の情報であり、仮想空間上の場所の情報と、実空間上の場所の情報とがある。仮想空間上の場所は、例えば、通信ネットワーク５に接続されたサーバのページ（例えば、ショッピングサーバ３ｂのショッピングページ）のＵＲＬであり、実空間上の場所は、例えば、端末装置２の位置検出部２４によって検出される位置情報である。
【００９３】
「ポイント」は、端末ユーザに付与されたアフィリエイトポイントであり、かかるアフィリエイトポイントにより端末ユーザはショッピングサーバ３ｂで取引されている商品またはサービスを購入または利用することができる。
【００９４】
ここで、取引対象情報ＤＢ３１の取引情報テーブルやユーザ情報ＤＢ３２のユーザ情報テーブルの更新について説明する。
【００９５】
ショッピングサーバ３ｂや店舗端末４から送信される販売情報には、取引対象の取引主体である端末ユーザのユーザＩＤ、取引対象の情報が含まれる。例えば、端末ユーザが紹介情報に基づかずに取引対象の取り引きを行った場合、ショッピングサーバ３ｂから送信される販売情報には、取引ユーザのユーザＩＤ、取引対象の種別、名称、数量、アイコン情報、購入場所、アクセス情報などが含まれる。
【００９６】
この場合、取得部３４は、ショッピングサーバ３ｂから取得した販売情報に取引対象ＩＤを新たに割り当て、種別、名称、数量、アイコン情報、購入場所、アクセス情報などを取引対象情報ＤＢ３１に記憶された取引情報テーブルに設定する。また、取得部３４は、ユーザ情報ＤＢ３２に記憶されたユーザ情報テーブルにおいて、取引ユーザのユーザＩＤに新たに割り当てた取引対象ＩＤを対応付ける。
【００９７】
また、端末ユーザが紹介情報に基づいて取引対象の取り引きを行った場合、ショッピングサーバ３ｂから送信される販売情報には、取引ユーザのユーザＩＤ、後述する紹介取引対象ＩＤおよび数量などが含まれる。この場合、取得部３４は、取引情報テーブルにおいて、紹介取引対象ＩＤに対応する取引対象ＩＤに対応付けて数量を設定する。
【００９８】
このように、取得部３４は、販売情報を取得すると、かかる販売情報に基づき、取引対象情報ＤＢ３１に記憶された取引情報テーブルおよびユーザ情報ＤＢ３２に記憶されたユーザ情報テーブルを更新する。
【００９９】
また、取得部３４は、端末装置２から送信される情報を取得すると、かかる情報に基づき、取引対象情報ＤＢ３１に記憶された取引情報テーブルおよびユーザ情報ＤＢ３２に記憶されたユーザ情報テーブルを更新する。例えば、端末装置２から紹介要求に含まれる情報（以下、紹介要求情報と記載する）を取得した場合、取得部３４は、紹介要求情報に含まれる取引対象ＩＤの末尾を付加または更新した取引対象ＩＤを取引情報テーブルに追加する。なお、このように追加した取引対象ＩＤを便宜上、紹介取引対象ＩＤと記載する。
【０１００】
例えば、取得部３４は、紹介要求情報に含まれる取引対象ＩＤが「Ｐ１００」であれば、「Ｐ１００ａ」を紹介取引対象ＩＤとして取引情報テーブルに追加し、紹介要求情報に含まれる取引対象ＩＤが「Ｐ１００ａ」であれば、「Ｐ１００ｂ」を紹介取引対象ＩＤとして取引情報テーブルに追加する。
【０１０１】
さらに、取得部３４は、取引情報テーブルにおいて、新たに追加した紹介取引対象ＩＤに対応する種別、名称、アイコン情報、購入場所およびアクセス情報を設定する。これらの情報は、紹介取引対象ＩＤの元となる取引対象ＩＤの種別、名称、アイコン情報、購入場所およびアクセス情報である。例えば、紹介取引対象ＩＤ「Ｐ１００ａ」の種別、名称、アイコン情報、購入場所およびアクセス情報は、取引対象ＩＤ「Ｐ１００」の種別、名称、アイコン情報、購入場所およびアクセス情報である。
【０１０２】
〔３．２．選択部３５〕
選択部３５は、端末ユーザから紹介要求があった場合に、取引対象情報ＤＢ３１およびユーザ情報ＤＢ３２に記憶された情報に基づき、端末ユーザに関連し、かつ、紹介要求で特定される取引対象の取引場所を過去に訪問した他の端末ユーザのユーザＩＤを紹介先のユーザＩＤとして選択する。
【０１０３】
具体的には、選択部３５は、紹介要求を行った端末ユーザのユーザＩＤと関連付けられている友人ＩＤの端末ユーザを、紹介要求を行った端末ユーザと関連する端末ユーザ（以下、関連端末ユーザと記載する）とする。例えば、ユーザＩＤ「Ｕ２」（図７参照）の端末ユーザが紹介要求を行った場合、選択部３５は、ユーザ情報テーブルに設定された友人ＩＤ「Ｕ１」、「Ｕ３」などを取得し、かかる友人ＩＤをユーザＩＤとする端末ユーザを関連端末ユーザとする。
【０１０４】
次に、選択部３５は、関連端末ユーザが過去に訪問した場所が紹介要求で特定される取引対象の取引場所と所定関係の範囲（以下、関連範囲と記載する）にあるか否かを判定する。そして、選択部３５は、過去に訪問した場所が関連範囲である関連端末ユーザのユーザＩＤを紹介先のユーザＩＤとして選択する。
【０１０５】
例えば、紹介要求で特定される取引対象が「ｓｈｏｐＧ」の店舗での販売サービスであり、「緯度経度Ａ」が「ｓｈｏｐＧ」の店舗位置と所定範囲にある場合、選択部３５は、ユーザＩＤ「Ｕ１」の端末ユーザが訪問した場所が関連範囲にあると判定し、ユーザＩＤ「Ｕ１」を紹介先のユーザＩＤとして選択する。
【０１０６】
選択部３５は、紹介先のユーザＩＤとして選択すると、紹介する取引対象の取引対象ＩＤを紹介取引対象ＩＤとして、選択した紹介先のユーザＩＤに対応付けてユーザ情報テーブルに設定する。例えば、図７に示す例では、ユーザＩＤ「Ｕ１」を紹介先ユーザＩＤとして、紹介取引対象ＩＤ「Ｐ１０５ａ」、「Ｐ１０６ａ」が設定されている。
【０１０７】
なお、関連範囲は、例えば、紹介要求で特定される取引対象が実空間の店舗での販売商品や提供サービスである場合、当該店舗の所定範囲（例えば、店舗から１００ｍの範囲）である。また、関連範囲は、例えば、紹介要求で特定される取引対象が仮想空間のショッピングページでの販売商品や提供サービスである場合、当該ショッピングページおよびその関連ページである。
【０１０８】
例えば、紹介要求で特定される取引対象がショッピングサーバ３ｂのショッピングページで販売される「サングラスＡ」である場合、「サングラスＡ」を含むサングラスを販売するショッピングサーバ３ｂのショッピングページや、「サングラスＡ」のメーカのサイトページが関連範囲である。
【０１０９】
また、選択部３５は、関連端末ユーザが過去に訪問した場所のうち、訪問期間や訪問回数などを選択条件とすることもできる。例えば、選択部３５は、関連端末ユーザが過去に訪問した場所のうち、所定期間前（例えば、１週間前）までの期間に訪問した場所が関連範囲にあるか否かを判定することができる。
【０１１０】
また、選択部３５は、過去に訪問した場所のうち所定の回数（例えば、３回）以上訪問した場所が関連範囲にある関連端末ユーザのユーザＩＤを紹介先のユーザＩＤとして選択することができる。また、選択部３５は、過去に訪問した場所のうち、所定時間前までの期間で所定の回数以上訪問した場所が関連範囲にある関連端末ユーザのユーザＩＤを紹介先のユーザＩＤとして選択することができる。
【０１１１】
なお、選択部３５は、過去に訪問した場所が関連範囲にある関連端末ユーザであっても、かかる関連端末ユーザが紹介要求で特定される取引対象をすでに取引している場合には、紹介先のユーザＩＤとして選択しないことができる。
【０１１２】
また、選択部３５は、過去に訪問した場所が関連範囲にある関連端末ユーザがすでに他の端末ユーザから紹介要求で特定される取引対象を紹介されている場合であっても、かかる関連端末ユーザのユーザを紹介先のユーザＩＤとして選択することができる。
【０１１３】
〔３．３．通知部３６〕
通知部３６は、選択部３５によって選択された紹介先のユーザＩＤを有するユーザ（以下、紹介先ユーザと記載する場合がある）の端末装置２に対して取得部３４によって取得した紹介情報を通信部３０から送信する。これにより、紹介先ユーザに紹介情報を通知することができる。
【０１１４】
紹介先ユーザに送信される紹介情報は、紹介要求に対応する取引対象の情報であり、かかる取引対象の取引対象ＩＤ、種別、名称、アイコン情報およびアクセス情報を含む。通知部３６は、取引情報テーブルから紹介要求に対応する取引対象の取引対象ＩＤ、種別、名称、アイコン情報およびアクセス情報を読み出す。
【０１１５】
また、通知部３６は、紹介要求に対応する取引対象の数量に基づき、紹介値を設定する。例えば、通知部３６は、数量に応じて紹介値を高くする。なお、紹介値として、数量のみならず、取引対象の種類に応じて紹介値を高くしてもよい。
【０１１６】
〔３．４．付与部３７〕
付与部３７は、紹介情報の送信先の端末ユーザが紹介情報に対応する取引対象を取り引きした場合に、紹介元の端末装置２の端末ユーザに対して報酬としてアフィリエイトポイントを付与する。
【０１１７】
付与部３７は、ショッピングサーバ３ｂや店舗端末４から送信される販売情報に含まれる紹介取引対象ＩＤに基づき、紹介情報の送信先の端末ユーザが紹介情報に対応する取引対象を取り引きした端末ユーザと判定し、かかる端末ユーザにアフィリエイトポイントを付与する。具体的には、ショッピングサーバ３ｂや店舗端末４から送信される販売情報に含まれる紹介取引対象ＩＤに対応する取引対象ＩＤがユーザ情報テーブルに設定されたユーザＩＤの端末ユーザ（以下、紹介元ユーザと記載する）に対してアフィリエイトポイントを付与する。付与部３７は、例えば、紹介取引対象ＩＤに対応する取引対象の取引価格の所定割合（例えば、５％）をアフィリエイトポイントに設定することができる。
【０１１８】
また、付与部３７は、ユーザ情報テーブルに基づき、例えば、取引対象ＩＤに対応する取引対象に設定された紹介取引対象ＩＤに基づいて、紹介元ユーザに付与するアフィリエイトポイントを決定する。例えば、付与部３７は、ショッピングサーバ３ｂや店舗端末４から送信される販売情報に含まれる紹介取引対象ＩＤの末尾が「ａ」の場合のアフィリエイトポイントよりも「ｂ」の場合のアフィリエイトポイントを低く設定する。
【０１１９】
紹介取引対象ＩＤの末尾「ａ」は、端末ユーザが紹介情報に基づかずに取り引きした取引対象を紹介した場合に付される番号である。また、紹介取引対象ＩＤの末尾「ｂ」は、末尾「ａ」の紹介取引対象ＩＤの紹介情報に基づいて端末ユーザが取り引きした取引対象を紹介した場合に付される番号である。
【０１２０】
なお、末尾「ｂ」の紹介取引対象ＩＤの紹介情報に基づいて端末ユーザが取り引きした取引対象を紹介した場合に付される番号は、末尾「ｃ」である。付与部３７は、ショッピングサーバ３ｂや店舗端末４から送信される販売情報に含まれる紹介取引対象ＩＤの末尾が「ｂ」の場合のアフィリエイトポイントよりも「ｃ」の場合のアフィリエイトポイントを低く設定する。このように、紹介される毎にアフィリエイトポイントが低くなる。
【０１２１】
付与部３７は、付与したアフィリエイトポイントの情報を紹介元の端末装置２へ送信する。これにより、紹介元の端末装置２の端末ユーザは、付与されたアフィリエイトポイントの情報を把握することができる。
【０１２２】
また、複数の他の端末ユーザから同一の端末ユーザに対して同一の取引対象を紹介され、かかる取引対象を取り引きした場合には、各他の端末ユーザに対して報酬としてアフィリエイトポイントを付与する。なお、付与部３７は、アフィリエイトポイントは、紹介タイミングが早ければ早いほど高くなるように設定することができ、また、紹介タイミングが遅ければ遅いほど高くなるように設定することもできる。
【０１２３】
〔４．ショッピングサーバ３ｂ〕
次にショッピングサーバ３ｂについて説明する。ショッピングサーバ３ｂは、図２に示すように、通信部４０と、販売情報ＤＢ４１と、制御部４２とを有する。さらに制御部４２は、販売処理部４３と、通知部４４とを有する。
【０１２４】
通信部４０は、ＮＩＣ等のインタフェースである。制御部４２は、通信部４０および通信ネットワーク５を介して、アフィリエイトサーバ３ａや端末装置２との間で各種の情報を送受信する。
【０１２５】
販売情報ＤＢ４１は、例えば、ハードディスク、ＲＡＭ、フラッシュメモリ等の半導体メモリ素子、光ディスク等の記憶装置である。かかる販売情報ＤＢ４１には、ショッピングページの情報や取引対象の情報などが含まれる。
【０１２６】
制御部４２は、例えば、ＡＳＩＣやＦＰＧＡ等の集積回路により実現される。また、制御部４２は、ＣＰＵまたはＭＰＵによって内部の記憶装置に記憶されたプログラムがＲＡＭを作業領域として実行されることで、販売処理部４３および通知部４４として機能する。なお、制御部４２の構成は、かかる構成に限られず、後述する情報処理を行う構成であれば他の構成であってもよい。
【０１２７】
販売処理部４３は、販売情報ＤＢ４１に記憶された情報に基づき、端末装置２からのアクセスに対してショッピングページを提供し、また、ショッピングページにおいて端末装置２から送信される購入要求に対して取引対象の販売処理を行う。販売処理は、例えば、決済処理や発送手配である。販売処理部４３は、取引対象の販売処理を行った場合、購入要求の送信元の端末装置２に対して販売処理完了通知を行う。
【０１２８】
通知部４４は、端末ユーザに販売した取引対象の情報を販売情報ＤＢ４１から取得し、ユーザ端末の購入結果としてアフィリエイトサーバ３ａへ送信する。通知部４４によって送信されるユーザ端末の購入結果には、例えば、取引対象の種別、名称、数量、アイコン情報、購入場所、アクセス情報および販売日時の情報の他、端末ユーザのユーザＩＤを含む。なお、販売日時とは、例えば、販売処理部４３が取引対象の販売処理を行った日時である。また、通知部４４は、端末ユーザに販売した取引対象が紹介情報に基づいて取引された取引対象である場合、端末ユーザから取得した紹介取引対象ＩＤおよび取引した数量や紹介者のユーザＩＤをユーザ端末の購入結果としてアフィリエイトサーバ３ａへ送信する。
【０１２９】
〔５．アフィリエイトシステム１の処理フロー〕
次に、実施形態に係るアフィリエイトシステム１による情報提供処理の手順について説明する。図８および図９は、アフィリエイトシステム１によるアフィリエイト処理フローを説明するための図である。以下においては、図８を参照して端末装置２の処理を説明し、図９を参照し、アフィリエイトサーバ３ａの処理を説明する。
【０１３０】
〔５．１．端末装置２の処理フロー〕
まず、実施形態に係る端末装置２の情報処理について、図８を参照して説明する。図８は、端末装置２における情報処理のフローチャートである。
【０１３１】
図８に示すように、端末ユーザの操作によってアフィリエイトアプリが起動されると、端末装置２の制御部２５は、ユーザ登録が行われているか否かを判定する（ステップＳ２０）。ユーザ登録が行われていないと判定すると（ステップＳ２０；Ｎｏ）、制御部２５は、ユーザ登録処理を行う（ステップＳ２１）。制御部２５は、ユーザ登録処理において、ユーザ設定登録画面（図示せず）を表示部２１に表示し、端末ユーザに登録情報の入力を促す。登録情報には、ユーザＩＤ、パスワードおよびユーザ属性（性別、年齢、住所など）がある。登録情報の入力があると、制御部２５は、登録情報を含む登録要求をアフィリエイトサーバ３ａへ送信する。
【０１３２】
ユーザ登録が行われていると判定した場合（ステップＳ２０；Ｙｅｓ）、または、ステップＳ２１の処理が終了した場合、アフィリエイトアプリの表示処理を行う（ステップＳ２２）。具体的には、制御部２５は、記憶部２３に記憶している対象情報テーブルに基づいて、表示画面５０（例えば、図４参照）の画像を生成して表示部２１に表示する。
【０１３３】
次に、制御部２５は、サーバ３から情報を取得したか否かを判定する（ステップＳ２３）。かかる処理において、制御部２５は、例えば、アフィリエイトサーバ３ａから購入情報や紹介情報を取得したか否か、または、ショッピングサーバ３ｂから販売処理完了通知を取得したか否かを判定する。
【０１３４】
サーバ３から情報を取得したと判定すると（ステップＳ２３；Ｙｅｓ）、制御部２５は、アフィリエイトアプリの再表示処理を行う（ステップＳ２４）。例えば、制御部２５は、アフィリエイトサーバ３ａから購入情報を取得した場合、取得した購入情報に応じた購入済みアイコン６０を表示画面５０に設定して表示部２１に表示し、アフィリエイトサーバ３ａから紹介情報を取得した場合、取得した紹介情報に応じた紹介アイコン６１を表示画面５０に設定して表示部２１に表示する。
【０１３５】
また、例えば、制御部２５は、紹介商品の購入要求に対してショッピングサーバ３ｂから販売処理完了通知を取得した場合、取得した販売処理完了通知に対応する紹介アイコン６１を購入済みアイコン６０へ変更して表示画面５０に設定して表示部２１に表示する。この場合、制御部２５は、対象情報テーブルにおいて、紹介アイコン６１に対応する状態フラグを「２」から「０」へ変更することで、紹介アイコン６１を購入済みアイコン６０へ変更する。
【０１３６】
ステップＳ２３においてサーバ３から情報を取得していないと判定した場合（ステップＳ２３；Ｎｏ）、または、ステップＳ２４の処理が終了した場合、制御部２５は、表示画面５０に設定された購入済みアイコン６０または紹介アイコン６１が選択されたか否かを判定する（ステップＳ２５）。
【０１３７】
アイコンが選択されたと判定すると（ステップＳ２５；Ｙｅｓ）、制御部２５は、選択方法に応じて選択されたアイコンに対応する情報を送信する（ステップＳ２６）。例えば、紹介アイコン６１がフリック操作されたとする。この場合、制御部２５は、紹介アイコン６１に対応するアクセス情報がショッピングサーバ３ｂのＵＲＬであれば、紹介アイコン６１に対応する購入要求をショッピングサーバ３ｂに対して行う。また、制御部２５は、紹介アイコン６１に対応するアクセス情報がバーコード用情報であれば、アクセス情報およびユーザ端末のユーザＩＤに対応する２次元バーコードを表示部２１に表示する。
【０１３８】
アイコンが選択されていないと判定した場合（ステップＳ２５；Ｎｏ）、または、ステップＳ２６の処理が終了した場合、制御部２５は、端末ユーザによりアフィリエイトアプリの終了操作が行われたか否かを判定する（ステップＳ２７）。アフィリエイトアプリの終了操作が行われていないと判定した場合（ステップＳ２７；Ｎｏ）、制御部２５は、処理をステップＳ２３へ移行し、アフィリエイトアプリの終了操作が行われたと判定した場合（ステップＳ２７；Ｙｅｓ）、制御部２５は、情報処理を終了する。
【０１３９】
〔５．２．アフィリエイトサーバ３ａの処理フロー〕
次に、実施形態に係るアフィリエイトサーバ３ａの情報処理について、図９を参照して説明する。図９は、アフィリエイトサーバ３ａにおける情報処理のフローチャートである。
【０１４０】
図９に示すように、アフィリエイトサーバ３ａの制御部３３は、端末装置２からユーザ登録要求があるか否かを判定する（ステップＳ３０）。ユーザ登録要求があると判定すると（ステップＳ３０；Ｙｅｓ）、制御部３３は、ユーザ情報テーブルを更新する（ステップＳ３１）。かかる処理において、制御部３３は、ユーザ登録要求に含まれるユーザＩＤなどをユーザ情報テーブルに設定する。なお、ユーザ登録要求に友人ＩＤが含まれている場合には、ユーザＩＤに関連付けて友人ＩＤをユーザ情報テーブルに設定する。なお、友人ＩＤの設定は、端末装置２から送信される友人登録要求によって行うこともできる。
【０１４１】
ユーザ登録要求がないと判定した場合（ステップＳ３０；Ｎｏ）、または、ステップＳ３１の処理が終了した場合、制御部３３は、端末装置２から紹介要求を受信したか否かを判定する（ステップＳ３２）。かかる処理において、紹介要求を受信したと判定すると（ステップＳ３２；Ｙｅｓ）、制御部３３は、紹介条件を満たす端末ユーザの端末装置２へ紹介情報を送信する（ステップＳ３３）。紹介条件を満たす端末ユーザは、紹介要求を行った端末ユーザに関連し、かつ、紹介要求で特定される取引対象の取引場所を過去に訪問した端末ユーザである。
【０１４２】
ステップＳ３３の処理が終了した場合、制御部３３は、取引情報テーブルおよびユーザ情報テーブルを更新する（ステップＳ３４）。具体的には、制御部３３は、紹介要求で特定される取引対象の取引対象ＩＤに基づいて新たに割り当てた紹介取引対象ＩＤおよび対応する情報を取引情報テーブルに設定する。また、制御部３３は、ユーザ情報テーブルにおいて、紹介要求を送信したユーザ端末のユーザＩＤに対応して紹介取引対象ＩＤを設定する。
【０１４３】
紹介要求を受信していないと判定した場合（ステップＳ３２；Ｎｏ）、または、ステップＳ３４の処理が終了した場合、制御部３３は、ショッピングサーバ３ｂからユーザ端末の購入結果を取得したか否かを判定する（ステップＳ３５）。ショッピングサーバ３ｂからユーザ端末の購入結果を取得したと判定すると（ステップＳ３５；Ｙｅｓ）、制御部３３は、取引情報テーブルおよびユーザ情報テーブルを更新する（ステップＳ３６）。
【０１４４】
ユーザ端末の購入結果を取得していないと判定した場合（ステップＳ３５；Ｎｏ）、および、ステップＳ３６の処理が終了した場合、制御部３３は、情報処理を終了する。
【０１４５】
〔６．変形例等〕
上述においては、端末ユーザが購入済みアイコン６０をフリック操作した場合に、紹介要求がアフィリエイトサーバ３ａへ送信される。一方、購入済みアイコン６０を端末ユーザがクリック操作した場合、制御部２５は、対象情報テーブルに基づいてクリック操作された購入済みアイコン６０の情報を表示部２１に表示する。この場合、表示部２１に表示する購入済みアイコン６０の情報は、例えば、購入済みアイコン６０に対応する商品の名称、購入済みアイコン６０に対応する商品を紹介した際の報酬（アフィリエイトポイントまたはアフィリエイト料）に関する情報などである。また、制御部２５は、対象情報テーブルに基づいてクリック操作された購入済みアイコン６０のアクセス情報に応じた処理を行うこともできる。なお、クリック操作は一例であり、その他の操作であってもよい。
【０１４６】
また、上述においては、端末ユーザが購入済みアイコン６０をフリック操作した場合に、紹介要求がアフィリエイトサーバ３ａへ送信されるが、端末ユーザが取引対象の取引を行った場合に紹介要求をアフィリエイトサーバ３ａへ送信することもできる。例えば、端末ユーザにより自動アフィリエイトの設定情報が記憶部２３に記憶されている場合、制御部２５は、購入情報を取得する毎に紹介要求をアフィリエイトサーバ３ａへ送信する。この場合、例えば、特定の友人ＩＤとして設定されたユーザＩＤの端末ユーザに対してのみ紹介情報がアフィリエイトサーバ３ａへ送信される。
【０１４７】
また、端末ユーザが購入済みアイコン６０を移動させて他の購入済みアイコン６０へ重ねる操作を行った場合、制御部２５は、重ねられた２つの購入済みアイコン６０が同時に紹介情報としてアフィリエイトサーバ３ａへ送信することもできる。このようにすることで、例えば、関連する複数の取引対象の情報を同時に紹介することができ、紹介先ユーザによる購入の可能性を向上させることができる。
【０１４８】
また、端末ユーザが購入済みアイコン６０を移動させて紹介アイコン６１へ重ねる操作を行った場合、制御部２５は、購入済みアイコン６０に対応する紹介要求を、紹介アイコン６１に対応する紹介元のユーザ端末を指定して行うことができる。この場合、アフィリエイトサーバ３ａの制御部３３は、紹介アイコン６１に対応する紹介元のユーザ端末に対して、購入済みアイコン６０に対応する取引対象の情報を紹介情報として送信する。
【０１４９】
また、制御部３３は、同一の端末ユーザが同一の取引対象を繰り返し取り引きしている場合、繰り返し回数に応じて取引対象の紹介値をアップさせるようにしてもよい。また、制御部３３は、同一の取引対象が複数の端末ユーザから紹介された場合、紹介している端末ユーザの数に応じて紹介情報の紹介値をアップさせるようにしてもよい。
【０１５０】
また、制御部３３は、紹介情報に基づいて取引対象が取り引きされた場合、紹介要求を行った端末ユーザの端末装置２に対してアフィリエイト完了通知を送信してもよい。この場合、紹介要求を行った端末装置２の制御部２５は、アフィリエイト完了通知に対応する紹介アイコン６１にアフィリエイト完了通知を受信した数を示す情報を付加するようにしてもよい。
【０１５１】
また、制御部３３は、紹介要求を行った端末ユーザに関連し、かつ、紹介要求で特定される取引対象の取引場所を過去に訪問した端末ユーザの端末装置２へ紹介情報を送信することとしたが、かかる紹介条件に限定されるものではない。例えば、制御部３３は、現在の位置が紹介要求で特定される取引対象の取引場所にある端末ユーザに対して紹介情報を送信することもできる。また、制御部３３は、将来の位置が紹介要求で特定される取引対象の取引場所にある端末ユーザに対して紹介情報を送信することもできる。
【０１５２】
また、端末ユーザは、紹介情報を受け付ける条件（以下、受付条件と記載する）を設定することもできる。かかる受付条件は、端末装置２からアフィリエイトサーバ３ａへ送信される。制御部３３は、受付条件を満たす紹介情報を端末ユーザの端末装置２へ送信する。受付条件は、例えば、訪問場所の範囲、期間および回数や、取引対象の種別や内容を含む。このように、受付条件を端末ユーザが設定することで、端末ユーザ毎に適切なアフィリエイト広告が可能となる。
【０１５３】
また、端末装置２の制御部２５は、フリック操作によって紹介要求を行うものとしたが、購入済みアイコン６０をダブルクリック操作したり、購入済みアイコン６０を紹介情報領域５２（図４参照）に移動させたりすることによって紹介要求を行うこともできる。
【０１５４】
また、制御部３３は、アフィリエイト料に対応する情報を端末ユーザの端末装置２へ通知するようにしてもよい。この場合、制御部２５は、アフィリエイト料の情報が識別可能に購入済みアイコン６０を表示部２１に表示することができる。
【０１５５】
また、アフィリエイトサーバ３ａの制御部３３は、友人ＩＤで関連付けられた端末ユーザで取引されていない取引対象が購入情報として設定されている端末ユーザの端末装置２へその旨を通知するようにしてもよい。そして、制御部２５は、友人ＩＤで関連付けられた端末ユーザで取引されていない取引対象である購入済みアイコン６０を他のアイコンと識別可能に表示部２１に表示することができる。このようにすることで、新たな取引対象の紹介を促すことが可能である。
【０１５６】
上述の実施形態では、アフィリエイトサーバ３ａから送信される購入情報や紹介情報には、取引対象ＩＤ、種別、名称、アイコン情報およびアクセス情報が含まれるが、かかる情報に限定されるものではなく、種々の情報を設定することができる。例えば、購入情報や紹介情報には、種別や名称の情報を含まないようにしてもよい。また、取引対象ＩＤだけでショッピングサーバ３ｂや店舗端末４との間で取り引きが可能である場合には、購入情報や紹介情報には、取引対象ＩＤとアイコン情報だけを含むようにしてもよい。さらに、端末装置２でアイコンを表示しない場合には、取引対象ＩＤと名称だけを、購入情報や紹介情報に含むようにしてもよい。
【０１５７】
上述の実施形態では、端末装置２から他の端末装置２への紹介情報の送信をサーバ３を介して行うものとして説明したが、端末装置２と他の端末装置２との間のＮＦＣ通信によって行うこともできる。この場合、端末装置２は、紹介情報として、紹介対象となる取引対象の取引対象ＩＤおよび端末ユーザのユーザＩＤなどを含む情報を他の端末装置２へ送信することができる。紹介情報を受信した他の端末装置２は、端末ユーザの操作によって、取引対象ＩＤおよびユーザＩＤを含む購入要求をショッピングサーバ３ｂへ送信する。
【０１５８】
また、上述の実施形態では、サービスの利用として、例えば、レストランでの飲食や映画館での映画鑑賞などを例に挙げて説明したが、かかる例に限定されるものではない。例えば、取引対象のカタログや資料の送付などもサービスの利用として上述した処理により報酬の対象とすることもできる。
【０１５９】
また、上述の実施形態では、紹介情報に、取引対象の取引対象ＩＤ、種別、名称、アイコン情報およびアクセス情報が含まれるものとしたが、さらに、紹介元ユーザが入力したコメントを紹介情報に含むようにしてもよい。例えば、制御部２５は、端末ユーザが購入済みアイコン６０をフリック操作した場合に、紹介コメントの入力画面を表示部２１に表示して紹介コメントの入力を促し、入力された紹介コメントを含む紹介要求をアフィリエイトサーバ３ａへ送信する。アフィリエイトサーバ３ａの制御部３３は、端末装置２から取得した紹介コメントを紹介要求に含め紹介先ユーザの端末装置２へ送信する。これにより、紹介先ユーザに紹介元ユーザのコメントを通知することができる。
【０１６０】
〔７．効果〕
実施形態にかかるアフィリエイトシステム１は、複数の端末装置２（第一端末および第二端末の一例）と、アフィリエイトサーバ３ａ（サーバの一例）とを有する。アフィリエイトサーバ３ａにおいて、ユーザ情報ＤＢ３２（関連情報記憶手段の一例）が端末ユーザ同士（第一端末のユーザと第二端末のユーザの一例）を関連付ける情報を記憶し、ユーザ情報ＤＢ３２（訪問履歴記憶手段の一例）が、端末装置２のユーザ（第二端末のユーザの一例）が訪問した場所の情報を訪問履歴情報として記憶し、取得部３４（紹介情報取得手段の一例）が、端末ユーザ（第一端末のユーザの一例）が購入または利用した商品またはサービスのうち他の端末ユーザ（第二端末のユーザの一例）に対して紹介すると決定した商品またはサービスに関する情報を含む紹介要求を取得し、選択部３５（選択手段の一例）が、ユーザ情報ＤＢ３２に記憶された情報に基づき、端末ユーザ（第一端末のユーザの一例）に関連し、かつ、紹介要求で特定される商品またはサービスの購入場所または利用場所を過去に訪問した他の端末ユーザ（第二端末のユーザの一例）を選択し、通知部３６（紹介情報通知手段の一例）が、選択部３５によって選択された端末ユーザの端末装置２（第二端末の一例）に対して取得部３４によって取得した紹介要求に応じた紹介情報を通知し、付与部３７（付与手段の一例）が、端末ユーザ（第二端末のユーザの一例）が紹介情報に基づいて商品またはサービスの購入または利用をした場合に、他の端末ユーザ（第一端末のユーザの一例）に対してアフィリエイトポイントまたはアフィリエイト料（報酬の一例）を付与する。
【０１６１】
かかる構成により、第一端末ユーザと関連のあるユーザの端末全てに対して紹介情報が送信されることがなく、スパム的な広告配信を抑制することができる。そのため、紹介情報が無視されやすくなることを防止でき、アフィリエイト広告による効果を効果的に発揮することができる。また、紹介要求で特定される商品の購入場所を訪問したユーザの端末に対して紹介情報が通知され、これによっても、アフィリエイト広告による効果を効果的に発揮することができる。
【０１６２】
また、端末装置２（第一端末の一例）において、取得部２６（取得手段の一例）が、端末ユーザ（第一端末のユーザの一例）が購入または利用した商品またはサービスに関する情報を購入情報として取得し、表示部２１（表示手段の一例）が、取得部２６によって取得された購入情報を表示し、通知部２８（送信手段の一例）が、表示部２１によって表示された購入情報のうち端末ユーザ（第一端末のユーザの一例）により選択された購入情報の紹介要求をアフィリエイトサーバ３ａへ送信する。
【０１６３】
かかる構成により、端末装置２において、端末ユーザが購入または利用した商品またはサービスを他の端末ユーザに容易に紹介することができる。
【０１６４】
また、購入情報には、端末ユーザ（第一端末のユーザの一例）が購入または利用した商品またはサービスに対応するアイコン画像の情報が含まれており、表示部２１が、購入情報としてアイコン画像を表示し、通知部２８が、表示部２１によって表示されたアイコン画像のうち端末ユーザ（第一端末のユーザの一例）により選択されたアイコン画像に対応する購入情報の紹介要求をアフィリエイトサーバ３ａへ送信する。
【０１６５】
かかる構成により、端末装置２において、端末ユーザが購入または利用した商品またはサービスを表示部２１によって表示されたアイコン画像を操作することで、他の端末ユーザに容易に紹介することができる。
【０１６６】
また、端末装置２（第二端末の一例）は、取得部２６が、アフィリエイトサーバ３ａから紹介情報を取得し、表示部２１が、取得部２６によって取得された紹介情報を表示し、通知部２８が、表示部２１によって表示された紹介情報に対応する商品またはサービスの購入または利用を要求する要求情報を送信し、アフィリエイトサーバ３ａにおいて、付与部３７が、端末装置２（第二端末の一例）による要求情報に基づく紹介情報に対応する商品またはサービスの購入または利用があった場合に、端末ユーザ（第一端末のユーザ）に対してアフィリエイトポイントまたはアフィリエイト料を付与する。
【０１６７】
かかる構成により、端末装置２において、他の端末ユーザから紹介された商品またはサービスの購入または利用を行うことができる。
【０１６８】
また、端末装置２（第二端末の一例）において、取得部２６が、要求情報に対応する商品またはサービスに関する情報を購入情報として取得し、表示部２１が、取得部２６によって取得された購入情報を表示し、通知部２８が、表示部２１によって表示された購入情報のうち端末ユーザ（第二端末のユーザの一例）により選択された購入情報の紹介要求をアフィリエイトサーバ３ａへ送信し、アフィリエイトサーバ３ａにおいて、取得部２６が、端末装置２（第二端末の一例）からの紹介要求に応じた情報を端末装置２（第二端末の一例）の紹介情報として取得し、端末装置２（第三端末の一例）において、取得部２６が、アフィリエイトサーバ３ａから端末装置２（第二端末の一例）の紹介情報を取得し、表示部２１が、取得部２６によって取得された紹介情報を表示し、通知部２８が、表示部２１によって表示された紹介情報に対応する商品またはサービスの購入または利用を要求する要求情報を送信し、アフィリエイトサーバ３ａの付与部３７が、端末装置２（第三端末の一例）による要求情報に基づく紹介情報に対応する商品またはサービスの購入または利用があった場合に、端末ユーザ（第一端末のユーザ）に対して与える報酬よりも少ない報酬を端末ユーザ（第三端末のユーザ）に付与する。
【０１６９】
かかる構成により、端末装置２において、他の端末ユーザから紹介された商品またはサービスの購入または利用を行った後に、かかる商品またはサービスをさらに他の端末ユーザへ紹介することができる。これにより、他の端末ユーザから紹介されていない商品またはサービスを紹介する動機付けを行うことができ、新たな商品またはサービスが紹介される可能性を増加させることができる。
【０１７０】
また、端末ユーザ（第二端末のユーザ）が訪問した場所の情報には、端末ユーザ（第二端末のユーザ）が訪問したショッピングページのＵＲＬ（位置情報の一例）が含まれる。
【０１７１】
かかる構成により、紹介要求で特定される商品またはサービスに興味があり購入を検討している可能性がある端末ユーザに紹介情報を通知することができ、アフィリエイト広告による効果をより効果的に発揮できる。
【０１７２】
また、アフィリエイトサーバ３ａにおいて、取得部３４（位置情報取得手段の一例）が、端末装置２（第二端末の一例）の位置情報を取得し、端末ユーザ（第二端末のユーザ）が訪問した場所の情報には、取得部３４によって取得された端末装置２（第二端末の一例）の位置情報が含まれる。
【０１７３】
かかる構成により、紹介要求で特定される商品またはサービスに興味があり購入を検討している可能性がある端末ユーザに紹介情報を通知することができ、アフィリエイト広告による効果をより効果的に発揮できる。
【０１７４】
〔８．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１７５】
上述したアフィリエイトサーバ３ａやショッピングサーバ３ｂは、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【符号の説明】
【０１７６】
１  アフィリエイトシステム
２、２1〜２n  端末装置
２ａ  第一端末
２ｂ  第二端末
３  サーバ
３ａ  アフィリエイトサーバ
３ｂ  ショッピングサーバ
４、４1〜４m  店舗端末
５  通信ネットワーク
２０、３０、４０  通信部
２１  表示部
２２  操作部
２３  記憶部
２４  位置検出部
２５、３３、４２  制御部
２６、３４  取得部
２７  表示制御部
２８、３６、４４  通知部
３１  取引対象情報ＤＢ
３２  ユーザ情報ＤＢ
３５  選択部
３７  付与部
４１  販売情報ＤＢ
４３  販売処理部
【図１】
0005642219.tif 000002
【図２】
0005642219.tif 000003
【図３】
0005642219.tif 000004
【図４】
0005642219.tif 000005
【図５】
0005642219.tif 000006
【図６】
0005642219.tif 000007
【図７】
0005642219.tif 000008
【図８】
0005642219.tif 000009
【図９】
0005642219.tif 000010